(57)【要約】【課題】熱伝導性を良好にして冷凍時間の短縮を図ることができて、多段積みしたときに必要な十分な剛性を有するとともに互いに滑り落ちることがなく、液汁が魚介類に再び侵入しないように完全に分断あるいは分離することができる魚介類の冷凍保管用容器を提供すること。【解決手段】合成樹脂シートを真空または圧空成形されて、底面１１と、側壁１２と、この側壁１２にヒンジ１４を介して連結した小蓋１３と、収納空間Ｒとを形成した魚介類の冷凍保管用容器１０において、底面１１に、収納空間Ｒ内に膨出する枕部１５を形成するとともに、小蓋１３に、底面１１の一部を嵌合し得る嵌合凹所１６を形成したこと。【選択図】図２
2006248527.tif 000002
【特許請求の範囲】
【請求項１】
合成樹脂シートを真空または圧空成形することにより、底面と、これから立ち上がる側壁と、これらの側壁の少なくとも一つについてヒンジを介して連結した小蓋とを備えて、これらの内側に魚介類を収納するための収納空間を形成した魚介類の冷凍保管用容器において、
前記底面に、前記収納空間内に膨出する枕部を形成するとともに、前記小蓋に、前記底面の一部を嵌合し得る嵌合凹所を形成したことを特徴とする魚介類の冷凍保管用容器。
【請求項２】
前記側壁の少なくとも一面について、その横断面が凹または凸のいずれか少なくとも一方が連続する凹凸面とするとともに、前記各側壁の上端にフランジ部を形成して、このフランジ部の外端にこれから垂下するスカート部を形成したことを特徴とする請求項１に記載の魚介類の冷凍保管用容器。
【請求項３】
前記側壁上のフランジ部及びこれに連続しているスカート部に対して、他の部分より低くなった凹部を形成したことを特徴とする請求項２に記載の魚介類の冷凍保管用容器。
【請求項４】
前記枕部の周囲に、前記底面の上面と同じ高さを有する液汁流路を形成したことを特徴とする請求項１〜請求項３のいずれかに記載の魚介類の冷凍保管用容器。
【請求項５】
前記収納空間内に、基板と、これに対して折曲されて、前記各側壁の内面と略同じ大きさを有して互いに対向することになる少なくとも一対の脚板とからなる蓋体を収納するようにしたことを特徴とする請求項１〜請求項４のいずれかに記載の魚介類の冷凍保管用容器。
【請求項６】
前記蓋体の基板に、内部の視認を行うことのできる覗き窓を形成したことを特徴とする請求項５に記載の魚介類の冷凍保管用容器。
【請求項７】
前記蓋体の基板に前記側壁上の凹部内に収納される突出部を形成して、この突出部を前記凹部内に収納して係合させ得るようにしたことを特徴とする請求項５または請求項６に記載の魚介類の冷凍保管用容器。
【発明の詳細な説明】
【技術分野】
【０００１】
本発明は、保管用容器に関し、特に、魚介類を冷凍して運搬や保管するために使用される冷凍保管用容器に関するものである。
【背景技術】
【０００２】
港に水揚げされたサンマやワカメ等を代表とする魚介類は、そのままでは傷むため、一旦容器に一定量収納してから全体を冷凍することにより、運搬や保管される。そのための容器としては、所謂木箱や発泡スチロール製容器が一般に使用されている。
【０００３】
このような従来の木箱や発泡スチロールの箱は、形が一定で、魚介類が入っていようがいまいが外形の変化はない。このため、港に漁船が着くまでの間は、この木箱や発泡スチロール製の箱を港に山積みしておかなければならないから大きな設置スペースが必要であるし、魚屋等の小売店で魚介類が販売され終わった時点でも、これらの魚箱は大きな場所を占めるため始末に困るものとなっているのである。
【０００４】
また、従来の木箱や発泡スチロール製の魚箱では、熱伝導率が悪いために、収納した魚介類の冷凍に時間が長く掛かり、エネルギーが相当必要になっているだけでなく、折角浜上げした魚介類を市場に出荷する予定の時間に間に合わないこともあったのである。
【０００５】
そこで、近年では、魚介類を入れていないときには、例えば特許文献１〜特許文献４にて、折り畳んだり平らな状態にできるようにしたり、空の場合の積み重ねができるようにした魚箱が提案されている。
【特許文献１】特開２００１−１１４３７１号公報、要約、代表図
【特許文献２】特開２００２−２６４９１９号公報、要約、代表図
【特許文献３】意匠登録第１２２００７４号公報、斜視図
【特許文献４】意匠登録第１２２０５４９号公報、斜視図
【発明の開示】
【発明が解決しようとする課題】
【０００６】
特許文献１に記載された「プラスチック容器および魚介類凍結保存用容器」は、「組み立ておよび分解が簡単で再利用が可能なプラスチック容器およびそれを利用した凍結保存用容器を提供すること」を目的としてなされたもので、図８及び図９に示すように、「弾性を有する中空構造のプラスチック薄板の中央部を底板１１とし、その周囲に４つの側壁１２、１３、１４、１５を形成し、対向する１対の側壁１２、１３の両端に折り曲げ可能な耳部１２１、１２２、１３１、１３２を形成し、他の対向する１対の側壁１４、１５に折り曲げ可能で先端に舌部１４１、１４２、１５１、１５２を有する延長部１４０、１５０を形成する。耳部１２１と耳部１３１を切溝１２３および切溝１３３で、耳部１２２と耳部１３２を切溝１２４および切溝１３４で噛み合わせ組立て、側壁１４、１５における舌部１４１、１４２および舌部１５１、１５２を側壁１４、１５の切込み１４３、１４４および切込み１５３、１５４にはめ込む」といった構成を有するものである。
【０００７】
しかしながら、この特許文献１の容器では、非常に複雑な折り部分があるため、組み立ては勿論、組み立てたものを崩すのにも非常に手間が掛かるものとなっていると考えられる。それだけでなく、この容器では、底板より上部開口が広くなっているため、空の場合の積み重ねはできるものの、魚介類を入れたときの積み上げを、魚介類に影響を与えないで行えないものとなっていると考えられる。
【０００８】
魚介類を入れたときの積み上げを改善したものは、特許文献２に見られる。この特許文献２の「包装用容器」は、「容器本体の組立性を良好にし、積み重ねた容器本体のずれ移動を防止するとともに蓋板を容器本体の上面開口部に容易に保持できる」ようにすることを目的として、図１０及び図１１に示すように、「容器本体１の両側板25は、底板部９の両側辺縁から折り曲げた外面側板部11と、両外面側板部11の上側縁12から両外面側板部11の内側に折り曲げた両内面側板部13とにて形成する。両内面側板部13の下端部に形成した内側係合突部14を底板部９の両側辺縁に沿って形成した挿通孔10に挿通して突出し、両外面側板部11の下端部に形成した外側係合突部14を内側係合突部15と重合する。蓋板５は、蓋板部50と、蓋板部50の両側辺縁51から下方に折り曲げ両内面側板部11の内面に当接する折り込み片部52とを有する。蓋板部50の両側辺部に積み重ねた容器本体１の両内面側板部13の係合突部15を係合する係合凹部53を形成する」という構成を有したものである。
【０００９】
しかしながら、この特許文献２の容器でも、非常に複雑な折り部分があるため、組み立ては勿論、組み立てたものを崩すのにも非常に手間が掛かるものとなっていると考えられる。
【００１０】
なお、この特許文献２に記載されている「包装用容器」では、上述したように「蓋板５」が採用されており、この「蓋板５」は、「蓋板部50と、蓋板部50の両側辺縁51から下方に折り曲げ両内面側板部11の内面に当接する折り込み片部52とを有する。蓋板部50の両側辺部に積み重ねた容器本体１の両内面側板部13の係合突部15を係合する係合凹部53を形成する」という構成を有したものである。
【００１１】
しかしながら、この特許文献２の「蓋板５」は、当該文献の段落００３６〜同００４０に記載されているように、「蓋板５は、前記容器本体１の上面開口面を閉じる矩形状の蓋板部50と、この蓋板部50の相対する両側辺縁51より前記容器本体１の上縁部12の厚み寸法分内側からそれぞれ下方に向かって切り起し形成した折り込み片部52が左右に設けられ、この折り込み片部52は前記容器本体１の両内面側板部13の内面に接される。この左右の折り込み片部52の外側端部は前記容器本体１の各係合突部14，15の外端位置と同一位置となるようにし、また、この折り込み片部52の左右方向の長さは前記容器本体１の各係合突部14，15の幅より長く形成し、この折り込み片部52は前記容器本体１の両内面側板部13の内面に接触される部分を長くする」（段落００３６）ものであり、「鮭等の収納物を収容した容器本体１に蓋板５を被せ、この蓋板５の蓋板部50にて容器本体１の上面開口面を閉じるとともに、この蓋板５の両折り込み片部52が拡がり復元力で連結片部54の部分から容器本体１の両側板25すなわち両内面側板部13の内面に当接され、蓋板部50は容器本体１を閉塞した状態に保持されるとともに、両折り込み片部52の外端部は容器本体１の両端部板部34に当接されて、蓋板５が容器本体１の左右方向に移動することがない」（段落００３９）ものである。
【００１２】
つまり、この特許文献２の「蓋板５」は、「蓋板５は両折り込み片部52が容器本体１の両内面側板部13の内面に当接されて保持される」（段落００４０）ものであるため、この「蓋体５」上に力が加わった場合に「鮭」を押さえる下方への力を支えることができないと考えられる。換言すれば、この「蓋体５」上に力が加わった場合に「鮭」を押し潰してしまい、鮭の商品価値を著しく低下させる可能性があると考えられるのである。
【００１３】
また、この特許文献２の「蓋板５」では、収納した鮭を上から完全に覆ってしまうため、セリに掛けるときにこの鮭の様子・鮮度をチェックする場合には、この蓋板５を外さなければならないものとなっている。
【００１４】
さて、前述した特許文献１及び２では、魚箱全体を複雑に折り込まなければならなかったが、この折り込みの煩雑さを解消するために、特許文献３及び特許文献４にて「魚類用容器」が提案されたと考えられる。この「魚類用容器」は、合成樹脂シートを真空または圧空成形することにより形成されていると考えられ、積み上げするときに内部の魚介類を保護するための部分上蓋も有しているようである。
【００１５】
しかしながら、これらの特許文献３及び４の容器では、魚介類を収納したものを多段に積み上げ、さらにこの積み上げたものをリフト車等で運搬する場合のこと（実際の魚介類の浜上げでは、１０段〜１０数段積み上げられることが一般的である）は、余り考慮されてはいないと考えられる。つまり、魚介類が入った魚箱を多段に積み上げるには、それなりの剛性あるいは強度が必要であることは当然として、積み上げた状態の安定化を確保しなければ、運搬時の振動によって魚箱が滑り落ちてしまうことになるのである。
【００１６】
この点、特許文献３及び４の魚箱では、剛性が少し不足するように思われるし、何よりも、多段に積み上げて搬送する際の振動によって、搬送時に落下してしまうと考えられる。
【００１７】
また、この種の魚箱に浜上げされた魚を一杯に詰めた場合、魚から血を含んだ液汁が箱の底部に貯まることになるのであるが、この液汁が再び魚体に侵入するようなことがあると、魚が早めに傷んでしまうことがある。この液汁は、魚のエラや口から侵入し易いため、そうならないようにするために、何等かの工夫を施しておからなければならない。
【００１８】
この液汁の問題からしてみると、上記特許文献３及び４の魚箱では、確かに底部に凹凸が形成してあって、この凹凸内に液汁が貯まるようにしてあるとは思われるが、底部の凹凸だけでは十分な水量を分断することはできず、水から上げられたばかりの多くの魚に付着もしくは含まれていた水の全てを魚から分断できるようにすることはできないと考えられる。
【００１９】
そこで、本発明者等は、合成樹脂シートから成形される魚箱について、十分な剛性を有してしかも魚介類と液汁とを十分に分断あるいは分離し得る魚介類の冷凍保管用容器とするにはどうしたらよいか、について種々検討を重ねてきた結果、本発明を完成したのである。
【００２０】
すなわち、本発明の目的とするところは、合成樹脂シートを積極的に採用することにより熱伝導性を良好にして冷凍時間の短縮を図ることができて、成形合成樹脂シートによって成形したものであっても、多段積みしたときに必要な十分な剛性を有するとともに互いに滑り落ちることがなく、しかも、液汁が魚介類に再び侵入しないように完全に分断あるいは分離することができる魚介類の冷凍保管用容器を、簡単な構成によって提供することにある。
【課題を解決するための手段】
【００２１】
以上の課題を解決するために、まず、請求項１に係る発明の採った手段は、後述する最良の形態の説明中において使用する符号を付して説明すると、
「合成樹脂シートを真空または圧空成形することにより、底面１１と、これから立ち上がる側壁１２と、これらの側壁１２の少なくとも一つについてヒンジ１４を介して連結した小蓋１３とを備えて、これらの内側に魚介類を収納するための収納空間Ｒを形成した魚介類の冷凍保管用容器１０において、
底面１１に、収納空間Ｒ内に膨出する枕部１５を形成するとともに、小蓋１３に、底面１１の一部を嵌合し得る嵌合凹所１６を形成したことを特徴とする魚介類の冷凍保管用容器１０」
である。
【００２２】
すなわち、この請求項１に係る冷凍保管用容器１０は、合成樹脂シートを真空または圧空成形することにより、底面１１と、これから立ち上がる側壁１２と、これらの側壁１２の少なくとも一つについてヒンジ１４を介して連結した小蓋１３とを備えたものとして形成したものであり、図２に示すように、その内側に魚介類を収納するための収納空間Ｒを形成したものである。
【００２３】
つまり、この魚介類の冷凍保管用容器１０は、その収納空間Ｒ内に魚介類を収納する前では、図２〜図４に示すように、未だ各小蓋１３が閉じられていない略平らな状態になっているものであり、収納空間Ｒが完全に開いた状態になされている。このため、この冷凍保管用容器１０は、デッドスペースを殆ど生ずることなく大量に積み重ねておくことができるのであり、魚介類の水揚げがなされる港の僅かな部分に大量に設置あるいは保管しておくことができるのである。
【００２４】
ここで、港に漁船が着くと、水揚げされた魚介類を冷凍保管用容器１０に箱詰めしなければならないが、積み重ねて置いた各冷凍保管用容器１０を取り出してそれぞれに魚介類を投入するのである。冷凍保管用容器１０は、略平らな状態で積み重ねられていたのであるから、個別の取り出しは簡単に行えるのであり、次から次へと必要になる冷凍保管用容器１０の準備が簡単に行えるのである。各冷凍保管用容器１０について所定量の魚介類が投入された後には、後述する蓋体２０によって当該冷凍保管用容器１０内の魚介類を覆い、図１に示すように、その上に小蓋１３を被せるのである。
【００２５】
この各小蓋１３は、図２及び図３に示すように、当該冷凍保管用容器１０の側壁１２（後述する最良形態では、短辺側の側壁１２となる）に、ヒンジ１４を介して一体化されているため、このヒンジ１４を折りながら小蓋１３を冷凍保管用容器１０上に被せるのである。ヒンジ１４自体も合成樹脂シートによって他の部分と一体的に形成されているためこの折り込み作業は簡単にできるし、ヒンジ１４の存在によって、小蓋１３の冷凍保管用容器１０に対する位置合わせは簡単に行える。つまり、小蓋１３は、これを冷凍保管用容器１０の収納空間Ｒ上に折り込むだけで、その正しい位置になるものであり、結果的にこの冷凍保管用容器１０は、前述した引用文献１あるいは２におけるような複雑な折り加工は全く不要になっている。
【００２６】
なお、後述する最良形態では、この小蓋１３に係合突起１３ａが形成してあって、この係合突起１３ａは、冷凍保管用容器１０のスカート部１８に設けた係合突起１８ａに係合するようにしてあるため、折り込んだ小蓋１３の位置決め固定は、これらの係合突起１３ａ・１８ａによって簡単になされる。従って、この冷凍保管用容器１０内への魚介類の投入、及び小蓋１３による覆いは、短時間内に行うことができるのであり、魚介類の鮮度を保つ上で非常に有利になっている。
【００２７】
さて、この請求項１の冷凍保管用容器１０では、図２及び図３に示すように、その底面１１に収納空間Ｒ内に膨出する枕部１５が形成してあった。この枕部１５は、当該冷凍保管用容器１０を合成樹脂シートにより一体成形するにあたって、底面１１の一部が嵌合凹所１６内に膨出するように形成したものであるから、その形成が簡単であるし、底面１１の剛性確保にも一役買っている。
【００２８】
また、この枕部１５の上端は、図３の右側部分にも示すように、底面１１の内面より相当高いから、この枕部１５上に頭を乗せるように浜上げされた魚を収納空間Ｒ内に収納すれば、魚の頭は底面１１上から相当高くなる。このため、魚から出た血を含む液汁が、魚のエラや口から再び侵入することはないのである。この液汁が魚体内に浸入しないということは、魚介類の鮮度を保つ上で、あるいは魚介類を魚臭くしないで済む点で非常に有効である。
【００２９】
一方、この請求項１に係る魚介類の冷凍保管用容器１０では、前述した小蓋１３に底面１１の一部を嵌合し得る嵌合凹所１６が、図２、図５あるいは図６に示すように、形成してあった。この嵌合凹所１６は、当該冷凍保管用容器１０を合成樹脂シートにより一体成形するにあたって、小蓋１３の一部が膨出するように形成したものであるから、その形成が簡単であるし、小蓋１３の剛性確保にも一役買っている。
【００３０】
また、この嵌合凹所１６内には、図６に示すように、上側になる別の冷凍保管用容器１０の底面１１の一部が収納されるのであるが、上述したように、底面１１には枕部１５が形成してあってその外側になる底面１１の底面が、この嵌合凹所１６内に完全に入り込むのである。つまり、魚介類を入れた各冷凍保管用容器１０を積み重ねる際に、上側の底面１１の一部が、下側の冷凍保管用容器１０の当該嵌合凹所１６内に入るため、複数の冷凍保管用容器１０の積み重ねを安定させるのである。この嵌合凹所１６内へ底面１１の一部が完全に入り込むようにしているのも、上述した枕部１５の意味である。
【００３１】
そして、この請求項１の冷凍保管用容器１０は、合成樹脂シートによって成形した箱型のものであったので、この冷凍保管用容器１０は、従来の木箱や発泡スチロール製の魚箱に比較すれば相当薄肉状のものとなっており、熱伝導率が高いものとなっている。このため、本発明に係る冷凍保管用容器１０自体は、取り扱いに有利な軽いものとしてできあがっているだけでなく、冷凍庫内に入れて冷凍するに際して、冷凍時間が相当短縮できるのである。
【００３２】
換言すれば、従来の木箱や発泡スチロール製の魚箱であれば、熱伝導率が悪くて冷凍時間が長く掛かり、予定の出荷時間に間に合わないこともあったのであるが、この請求項１の冷凍保管用容器１０によれば、魚介類の収納が簡単に行え、しかも冷凍時間の短縮ができるのであるから、予定の出荷時間に十分間に合わせることができるだけでなく、冷凍のためのエネルギーの節約にも一役買っているのである。
【００３３】
従って、この請求項１の冷凍保管用容器１０は、合成樹脂シートによって成形したものであっても、多段積みしたときに必要な十分な剛性を有するとともに互いに滑り落ちることがなく、しかも、液汁が魚介類に再び侵入しないように完全に分断あるいは分離することができるものとなっているのである。また、この請求項１の冷凍保管用容器１０は、熱伝導性が高い合成樹脂シートによって成形したものであるから、短時間内に冷凍することができて、省エネが達成できるだけでなく、出荷時間に十分間に合わせることができて市場への出荷業務を円滑に行うことができるのである。
【００３４】
上記課題を解決するために、請求項２に係る発明の採った手段は、上記請求項１に記載の魚介類の冷凍保管用容器１０について、
「側壁１２の少なくとも一面について、その横断面が凹または凸のいずれか少なくとも一方が連続する凹凸面とするとともに、各側壁１２の上端にフランジ部１７を形成して、このフランジ部１７の外端にこれから垂下するスカート部１８を形成したこと」
である。
【００３５】
すなわち、この請求項２の冷凍保管用容器１０では、図２及び図３に示すように、側壁１２の少なくとも一面について、その横断面が凹または凸のいずれか少なくとも一方が連続する凹凸面としたものである。この凹凸の連続は、波形や円弧を連続させたり、四角や三角を連続させたものであってもよく、その他種々な形状が考えられ、その幅（スパン）や凹凸の深さについても適宜選択して実施される。
【００３６】
このように、側壁１２の少なくとも一つについて凹凸が連続してあれば、当該側壁１２が、合成樹脂シートを真空または圧空成形して形成したものであっても、その剛性が高いものとなる。特に当該冷凍保管用容器１０を、一般的な形状である平面視四角形状の場合は、その効果が確実に高まる。
【００３７】
また、この冷凍保管用容器１０では、図１及び図２に示すように、各側壁１２の上端にフランジ部１７を形成するとともに、このフランジ部１７の外端にこれから垂下するスカート部１８が形成してある。これにより、当該冷凍保管用容器１０が合成樹脂シートを真空または圧空成形して形成したものであっても、これらのフランジ部１７及びスカート部１８が上述した凹凸とも協働して、冷凍保管用容器１０全体の剛性を高いものとしている。
【００３８】
従って、この請求項２の冷凍保管用容器１０は、上記請求項１のそれと同様な機能を発揮するものとなる他、凹凸を形成した側壁１２の剛性が高くなり、引いてはこの凹凸とフランジ部１７及びスカート部１８の作用によって、全体の剛性が、より一層高いものとなっているのである。
【００３９】
上記課題を解決するために、請求項３に係る発明の採った手段は、上記請求項２に記載の魚介類の冷凍保管用容器１０について、
「側壁１２上のフランジ部１７及びこれに連続しているスカート部１８に対して、他の部分より低くなった凹部１９を形成したこと」
である。
【００４０】
すなわち、この請求項３の冷凍保管用容器１０では、図１及び図３に示すように、側壁１２上のフランジ部１７及びこれに連続しているスカート部１８に対して、他の部分より低くなった凹部１９を形成したのであるが、この凹部１９は、複数設けておくのが好ましい。
【００４１】
この凹部１９は、上述したフランジ部１７及びスカート部１８の形状を複雑化するため、これらの剛性確保に役立つだけでなく、この凹部１９内に、後述する蓋体２０の突出部２３や、図１に示したしばりひも３０の挿入箇所として利用されるものである。なお、この凹部１９に対応する凸部を底面１１に形成しておくことにより、例えば、複数の冷凍保管用容器１０を９０°回転させた状態（例えば井桁積み）で積み上げる際の滑り止めを行うことができる。
【００４２】
従って、この請求項３の冷凍保管用容器１０は、上記請求項２に係るそれと同様な機能を発揮する他、さらに剛性を高めたり、積み上げの際の積み上げ方式を変更できるものとし得ることになる。
【００４３】
上記課題を解決するために、請求項４に係る発明の採った手段は、上記請求項１〜請求項３のいずれかに記載の魚介類の冷凍保管用容器１０について、
「枕部１５の周囲に、底面１１の上面と同じ高さを有する液汁流路１１ａを形成したこと」
である。
【００４４】
すなわち、この請求項４の冷凍保管用容器１０は、図２及び図３に示すように、上記枕部１５の周囲に、底面１１の上面と同じ高さを有する液汁流路１１ａを形成したものであるが、これにより、枕部１５が底面１１にて独立した山となって収納空間Ｒ内に突出することになる。このようになれば、この液汁流路１１ａにて魚介類に付着していた、あるいはこれから出た液汁が枕部１５以外の底面１１上を自由に流れ得るのであり、液汁は底面１１上に均等の深さで広がり得ることになる。
【００４５】
つまり、この請求項４の冷凍保管用容器１０では、液汁がこの液汁流路１１ａを介して他の部分に流れ出たり流入してきたするのである。換言すれば、この液汁流路１１ａの存在によって、底面１１上の一部、例えば各枕部１５と側壁１２との間に大量に貯まることにはならないのであり、結果として魚介類内に液汁が浸入することはないのである。
【００４６】
従って、この請求項４の冷凍保管用容器１０では、上記請求項１〜３のそれと同様な機能を発揮する他、液汁の局所的な貯まりを防止できるものとなっているのである。
【００４７】
上記課題を解決するために、請求項５に係る発明の採った手段は、上記請求項１〜請求項４のいずれかに記載の魚介類の冷凍保管用容器１０について、
「収納空間Ｒ内に、基板２１と、これに対して折曲されて、各側壁１２の内面と略同じ大きさを有して互いに対向することになる少なくとも一対の脚板２２とからなる蓋体２０を収納するようにしたこと」
である。
【００４８】
すなわち、この冷凍保管用容器１０は、これとは独立した蓋体２０を備えたものとしたものであるが、この蓋体２０は、当該冷凍保管用容器１０内に入れる前は、図７に示すような状態の平面的なものとなっている。つまりこの蓋体２０は、上述してきた冷凍保管用容器１０に付設して使用されるものであり、冷凍保管用容器１０の機能をさらに向上させるものである。
【００４９】
この蓋体２０は、紙や合成樹脂を材料として、図７に示したような状態ものに形成されるものであり、基板２１と、これに対して折曲されて、各側壁１２の内面と略同じ大きさを有して互いに対向することになる少なくとも一対の脚板２２とからなるものであるが、使用する前では、図７に示すような平板状のものである。このため、使用する前の蓋体２０は、デッドスペースを発生させることなく、大量に積み重ねておくことができるものとなっている。
【００５０】
この蓋体２０を使用するには、まず、各脚板２２を折線２２ａにて同一方向に折り込み、これらの各脚板２２を、魚介類が収納されて小蓋１３が折り込まれていない冷凍保管用容器１０の各側壁１２の内側に差し込むのである。この脚板２２は、各側壁１２の内面と略同じ大きさを有しているから、その下端面が当該冷凍保管用容器１０の底面１１上に当接して、当該蓋体２０を容器１０に対してしっかりと支えることになり、その結果この蓋袋２０の基板２１は、小蓋１３の下面に位置し得るとともに、魚介類を囲みながら冷凍保管用容器１０内に収納されることになる。そこで、冷凍保管用容器１０について、小蓋１３をヒンジ１４を介して折り込み、各係合突起１３ａ・１８ａを利用して固定するのである。
【００５１】
以上の結果、冷凍保管用容器１０上は、蓋体２０によって覆われることになるから、冷凍保管用容器１０内に収納した魚介類は保護されることになるだけでなく、各側壁１２の内面と略同じ大きさを有してこれに対向する脚板２２によって、当該冷凍保管用容器１０上に載置される別の冷凍保管用容器１０の支えがなされ、結果的に、当該蓋体２０を使用した冷凍保管用容器１０の剛性が高められることになる。
【００５２】
なお、この脚板２２に文字等の印刷２５をしておけば、この印刷２５は、図１に示すように、冷凍保管用容器１０を透明または半透明の合成樹脂材料によって形成した場合に、外部から透視でき、当該冷凍保管用容器１０内の魚介類の産地表示や内容物表示を明確に行うことができる。
【００５３】
従って、この請求項５に係る冷凍保管用容器１０は、前述した各請求項に係るそれと同様な機能を発揮する他、魚介類の保護を確実にし、全体の剛性がさらに高まったものとなっているのである。
【００５４】
上記課題を解決するために、請求項６に係る発明の採った手段は、上記請求項５に記載の魚介類の冷凍保管用容器１０について、
「蓋体２０の基板２１に、内部の視認を行うことのできる覗き窓２４を形成したこと」
である。
【００５５】
すなわち、この請求項６の冷凍保管用容器１０では、これに使用している蓋体２０の基板２１に覗き窓２４を形成したものであるが、小蓋１３を外すことによってこの覗き窓２４から魚介類の状態を、蓋体２０を外さないまま外部から視認することができる。この場合、冷凍保管用容器１０を透明または半透明の合成樹脂材料によって形成した場合には、上述した印刷２５と同様に、小蓋１３を通して魚介類の状態を外部から、一切の開封操作を行わないで実行できる。
【００５６】
従って、この請求項６の冷凍保管用容器１０は、上記請求項１〜５と同様な機能を発揮する他、魚介類の状態確認を外部から簡単に行うことができるものとなっているのである。
【００５７】
上記課題を解決するために、請求項７に係る発明の採った手段は、上記請求項５または請求項６に記載の魚介類の冷凍保管用容器１０について、
「蓋体２０の基板２１に側壁１２上の凹部１９内に収納される突出部２３を形成して、この突出部２３を凹部１９内に収納して係合させ得るようにしたこと」
である。
【００５８】
すなわち、この請求項７の冷凍保管用容器１０は、その基板２１に側壁１２上の凹部１９内に収納される突出部２３を形成したものであり、これら各突出部２３は、図１に示すように、冷凍保管用容器１０側の各凹部１９内に収められることになる。
【００５９】
これにより、各突出部２３によって、冷凍保管用容器１０の側壁１２と蓋体２０との間に形成されていた隙間が埋められるとともに、各脚板２２とともに冷凍保管用容器１０に対する支えともなるから、冷凍保管用容器１０全体の剛性を高くすることになる。
【００６０】
従って、この請求項７に係る冷凍保管用容器１０は、上記請求項５または６のそれと同様な機能を発揮する他、魚介類の保護と全体の剛性がさらに向上したものとなっている。
【発明の効果】
【００６１】
以上、詳述した通り、本発明においては、
「合成樹脂シートを真空または圧空成形することにより、底面１１と、これから立ち上がる側壁１２と、これらの側壁１２の少なくとも一つについてヒンジ１４を介して連結した小蓋１３とを備えて、これらの内側に魚介類を収納するための収納空間Ｒを形成した魚介類の冷凍保管用容器１０において、
底面１１に、収納空間Ｒ内に膨出する枕部１５を形成するとともに、小蓋１３に、底面１１の一部を嵌合し得る嵌合凹所１６を形成したこと」
にその構成上の特徴があり、これにより、合成樹脂シートを積極的に採用することにより熱伝導性を良好にして冷凍時間の短縮を図ることができて、合成樹脂シートによって成形したものであっても、多段積みしたときに必要な十分な剛性を有するとともに互いに滑り落ちることがなく、しかも、液汁が魚介類に再び侵入しないように完全に分断あるいは分離することができる魚介類の冷凍保管用容器１０を、簡単な構成によって提供することができる。
【発明を実施するための最良の形態】
【００６２】
次に、以上のように構成した各請求項に係る発明を、図面に示した最良の形態である冷凍保管用容器１０について説明すると、図１には、その最良形態に係る冷凍保管用容器１０の斜視図が示してある。
【００６３】
冷凍保管用容器１０は、合成樹脂シートを真空または圧空成形することにより形成したものである。つまり、本発明の冷凍保管用容器１０は、合成樹脂シートを積極的に採用して成形することにより、従来の木箱や発泡スチロール製の魚箱に比して熱伝導性を良好にしたものであり、これにより冷凍時間の短縮と冷凍のためのエネルギーの節約を図り、出荷作業効率を図るようにしているものである。
【００６４】
本最良形態の場合には、合成樹脂シートとして、透明または半透明のものを採用して、後述する蓋体２０の印刷２５が冷凍保管用容器１０の側壁１２を通して外部から視認できたり、蓋体２０に形成してある覗き窓２４から冷凍保管用容器１０の小蓋１３を通して内部の魚介類の状態確認が行えるようにしている。
【００６５】
そして、この冷凍保管用容器１０は、合成樹脂シートによって、底面１１と、これから立ち上がる側壁１２と、これらの側壁１２の少なくとも一つについてヒンジ１４を介して連結した小蓋１３と、底面１１に形成されて、その内側に膨出する枕部１５と、小蓋１３に形成されて、他の冷凍保管用容器１０の底面１１の一部を嵌合し得る嵌合凹所１６とを備えたものとして形成したものであり、図２に示したように、その内側に魚介類を収納するための収納空間Ｒを形成するようにしたものである。
【００６６】
本最良形態の冷凍保管用容器１０では、平面視略四角形状にしたものであるが、そのコーナー部については、真空または圧空成形を良好にするためと、取り扱いがし易く、他のものに傷を付けないようにする意味で、丸味を帯びたものにしてある。また、この冷凍保管用容器１０の底である底面１１については、特許文献３または４に示されているような模様からなる凹凸を形成してもよいが、本最良形態では、単に複数の水切穴１１ｂを形成するようにしている。
【００６７】
そして、この冷凍保管用容器１０の底面１１の後述する枕部１５の周囲には、図２及び図３に示したように、底面１１の上面と同じ高さを有する液汁流路１１ａが形成してある。この液汁流路１１ａは、魚介類に付着していた、あるいはこれから出た液汁が枕部１５以外の底面１１上を自由に流れ得るようにするものであり、液汁を底面１１上に均等の深さで広けるものである。
【００６８】
つまり、この液汁流路１１ａは、その存在によって、底面１１上の一部、例えば各枕部１５と側壁１２との間に液汁が大量に貯まることを阻止するものであり、結果として、魚介類内に液汁を浸入させないようにするものである。
【００６９】
また、この冷凍保管用容器１０では、図２及び図３に示したように、側壁１２の少なくとも一面について、その横断面が凹または凸のいずれか少なくとも一方が連続する凹凸面としてある。この凹凸の連続は、波形や円弧を連続させたり、四角や三角を連続させたものであってもよく、その他種々な形状が考えられ、その幅（スパン）や凹凸の深さについても適宜選択して実施される。
【００７０】
さらに、この最良形態の冷凍保管用容器１０では、図１及び図２に示したように、各側壁１２の上端にフランジ部１７を形成するとともに、このフランジ部１７の外端にこれから垂下するスカート部１８が形成してある。これらのフランジ部１７及びスカート部１８は、当該冷凍保管用容器１０が合成樹脂シートを真空または圧空成形して形成したものであっても、これらのフランジ部１７及びスカート部１８が側壁１２上の凹凸とも協働して冷凍保管用容器１０全体の剛性を高いものとする。なお、本最良形態のスカート部１８には、合成樹脂シートを部分的に膨出させた係合突起１８ａが形成してあり、この係合突起１８ａには、後述する小蓋１３側の係合突起１３ａが強制嵌入されるものである。
【００７１】
当該冷凍保管用容器１０の短辺側を構成してる二つの側壁１２については、二つの小蓋１３がヒンジ１４を介して一体化してある。ヒンジ１４は、後述するスカート部１８の高さの約２倍の幅を有するものであり、各小蓋１３との連続部分には、折り込みを行う易くするための突条が形成してある。勿論、このヒンジ１４は、側壁１２に対して小蓋１３を連結するものであるから、図示した最良形態のような板状のものに限らず、例えば複数の「ひも状」のものとして実施してもよいものである。
【００７２】
各小蓋１３は、図１に示したように、収納空間Ｒの両側を部分的に覆うためのもので、図１及び図２に示したように、略環状の膨出突条を形成することにより、その中側に、他の冷凍保管用容器１０の底部を部分的に嵌合する嵌合凹所１６を形成したものである。なお、本最良形態の小蓋１３には、上述したスカート部１８側に形成しておいた係合突起１８ａに強制嵌入できる係合突起１３ａが形成してあり、この係合突起１３ａを係合突起１８ａに嵌入することにより、当該小蓋１３の側壁１２側に対する固定が行えるようにしてある。
【００７３】
また、この冷凍保管用容器１０では、図２及び図３に示したように、その底面１１に収納空間Ｒ内に膨出する枕部１５が形成してあった。この枕部１５の上端は、図３の右側部分にも示したように、底面１１の内面より相当高くしてあり、この枕部１５上に浜上げされた魚の頭を乗せるようにしてある。この枕部１５は、魚の頭を底面１１上から相当高くすることにより、魚から出た血を含む液汁が、魚のエラや口から再び侵入しないようにするものである。
【００７４】
以上の結果、この魚介類の冷凍保管用容器１０は、その収納空間Ｒ内に魚介類を収納する前では、各小蓋１３を閉じないで完全に開いた状態になされて、図２〜図４に示したように、略平らな状態になっているものであり、これに対して魚介類を収納した後には、その収納空間Ｒ内に蓋体２０が入れられて各小蓋１３が閉じられるものである。
【００７５】
魚介類を収納した収納空間Ｒ内に入れられる蓋体２０は、紙や合成樹脂を材料として、図７に示したような状態ものに形成されるものであり、基板２１と、これに対して折曲されて、各側壁１２の内面と略同じ大きさを有して互いに対向することになる少なくとも一対の脚板２２とからなるものであるが、使用する前では、図７に示したような平板状のものである。このため、使用する前の蓋体２０は、デッドスペースを発生させることなく、大量に積み重ねておくことができるものとなっているものである。
【００７６】
この蓋体２０を使用するには、まず、各脚板２２を折線２２ａにて同一方向に折り込み、これらの各脚板２２を、魚介類が収納されて小蓋１３が折り込まれていない冷凍保管用容器１０の各側壁１２の内側に差し込むのである。この脚板２２は、各側壁１２の内面と略同じ大きさを有しているから、当該蓋体２０の基板２１は、小蓋１３の下面に位置し得るとともに、魚介類を囲みながら冷凍保管用容器１０内に収納されることになるものである。なお、この蓋体２０を冷凍保管用容器１０内に収納した後には、小蓋１３をヒンジ１４を介して折り込み、各係合突起１３ａ・１８ａを利用して固定するのである。
【００７７】
この蓋体２０は、冷凍保管用容器１０上を覆うことになるから、冷凍保管用容器１０内に収納した魚介類は保護されるだけでなく、各側壁１２の内面と略同じ大きさを有してこれに対向する脚板２２によって、当該冷凍保管用容器１０上に載置される別の冷凍保管用容器１０の支えも行うことになるから、当該蓋体２０を使用した冷凍保管用容器１０の剛性を高めることにもなる。なお、この脚板２２に文字等の印刷２５をしておけば、この印刷２５は外部から透視できることになるから、当該冷凍保管用容器１０内の魚介類の産地表示や内容物表示を明確に行うことができることになる。
【００７８】
この蓋体２０については、その基板２１に覗き窓２４が形成してあるが、小蓋１３を外すことによってこの覗き窓２４から魚介類の状態を蓋体２０を外さないまま外部から視認できるようにしてある。勿論、本最良形態の冷凍保管用容器１０のように、これを透明または半透明の合成樹脂材料によって形成すれば、魚介類の状態視認を、小蓋１３を通して外部から、しかも一切の開封操作を行わないで実行できる。
【００７９】
また、この蓋体２０は、その基板２１に側壁１２上の凹部１９内に収納される突出部２３が形成してあり、この突出部２３を凹部１９内に収納して係合させることができるようにしてある。この蓋体２０を使用すれば、その各突出部２３によって、冷凍保管用容器１０の側壁１２と蓋体２０との間に形成されていた隙間が埋められ収納空間Ｒ内の魚介類の保護が行えるとともに、各脚板２２の支えともなる。
【００８０】
以上のようにして、冷凍保管用容器１０の収納空間Ｒ内に魚介類を詰め込み、その上から蓋体２０を被せてその上にさらに各小蓋１３を折り込んで、この小蓋１３を係合突起１３ａ・１８ａ等を利用して冷凍保管用容器１０側に固定すれば、必要な魚介類の収納は完成する。なお、本最良形態の冷凍保管用容器１０では、図１に示したように、魚介類及び蓋体２０を入れたものに対してしばりひも３０を掛けるという補強がなされる。
【００８１】
以上のようにした冷凍保管用容器１０は、その多数をリフト車等に積み重ね状態で載置して、冷凍冷蔵庫や市場等に運搬される。このとき、各冷凍保管用容器１０には、小蓋１３の嵌合凹所１６や、凹部１９等の脱落防止が施してあるから、運搬途中で落下したりせずに運搬できる。
【図面の簡単な説明】
【００８２】
【図１】本発明に係る冷凍保管用容器の、魚介類及び蓋体を入れてしばりひもを掛けた状態の斜視図である。
【図２】同冷凍保管用容器の蓋体を入れていない状態を、左半分を底面として示した平面図である。
【図３】同冷凍保管用容器の長辺側の、左半分を側面として示した縦断面図である。
【図４】同冷凍保管用容器の短辺側の、左半分を側面として示した縦断面図である。
【図５】同冷凍保管用容器の小蓋が側壁を中心に開閉される様子を示した部分断面図である。
【図６】同冷凍保管用容器の二つを積み上げた状態を示す部分拡大断面図である。
【図７】同冷凍保管用容器において使用されることのある蓋体の展開図である。
【図８】従来の技術を示す斜視図である。
【図９】図８に示したものの展開図である。
【図１０】従来の他の技術を示す斜視図である。
【図１１】図１０に示したものの展開図である。
【図１２】従来のさらに他の二種類の技術を（イ）と（ロ）に分けて示す斜視図である。
【符号の説明】
【００８３】
１０    冷凍保管用容器
１１    底面
１１ａ  液汁流路
１１ｂ  水切穴
１２    側壁
１３    小蓋
１３ａ  係合突起
１４    ヒンジ
１５    枕部
１６    嵌合凹所
１７    フランジ部
１８    スカート部
１８ａ  係合突起
１９    凹部
２０    蓋体
２１    基板
２２    脚板
２３    突出部
２４    覗き窓
２５    印刷
３０    しばりひも
Ｒ    収納空間
【図１】
2006248527.tif 000003
【図２】
2006248527.tif 000004
【図３】
2006248527.tif 000005
【図４】
2006248527.tif 000006
【図５】
2006248527.tif 000007
【図６】
2006248527.tif 000008
【図７】
2006248527.tif 000009
【図８】
2006248527.tif 000010
【図９】
2006248527.tif 000011
【図１０】
2006248527.tif 000012
【図１１】
2006248527.tif 000013
【図１２】
2006248527.tif 000014
【手続補正書】
【提出日】平成17年7月29日(2005.7.29)
【手続補正１】
【補正対象書類名】図面
【補正対象項目名】図１
【補正方法】変更
【補正の内容】
【図１】
2006248527.tif 000015
【手続補正２】
【補正対象書類名】図面
【補正対象項目名】図２
【補正方法】変更
【補正の内容】
【図２】
2006248527.tif 000016
【手続補正３】
【補正対象書類名】図面
【補正対象項目名】図３
【補正方法】変更
【補正の内容】
【図３】
2006248527.tif 000017